(57)【特許請求の範囲】
【請求項１】
浴室の壁面等の取付部から突設されて湯水などを吐水する通水体と、該通水体を被覆するカバーと、該カバーを前記取付部に固定するステーとを備えた吐水具であって、前記通水体及び前記ステーが、前記通水体に設けられた鍔部と前記通水体の端部に形成されたネジにねじ込まれたナットによって、共に前記取付部に固設されるとともに前記取付部及び前記ステーが挟着されることを特徴とする吐水具。
【請求項２】
水栓本体とは別個に設けられることを特徴とする請求項１に記載の吐水具。
【請求項３】
前記通水体及び前記ステーの相互を回動不能に位置決めする位置決め手段を備えたことを特徴とする請求項１又は２に記載の吐水具。
【請求項４】
前記通水体には、下方に突出する吐水口が設けられており、前記カバーの下面には、前記吐水口を挿通可能なスリットが設けられていることを特徴とする請求項１から３の何れかに記載の吐水具。
【請求項５】
前記カバーは、その下面から前記ステーにネジ止めされることを特徴とする請求項１から４の何れかに記載の吐水具。
【発明の詳細な説明】
【０００１】
【発明の属する技術分野】
本各発明は、浴室の壁面等の取付部から突設されて湯水などを吐水する通水体と、該通水体を被覆するカバーと、該カバーを前記取付部に固定するステーとを備えた吐水具に関する。
【０００２】
【従来の技術】
従来、湯水等を吐水する吐水具であって、浴室の壁面などの取付部にステーを介して固設されたカバーを有する吐水具には、例えば、実開平６−８５４６１号公報記載のものなどがある。この従来例を具体的に説明すると、浴槽カウンターに埋設された埋め込みボルトに、ナットを介して固定金具を固定し、固定金具と吐水口カバーの脚部を、ボルトを介して連結し、吐水口カバーを浴槽カウンターに確実に固定せんとするものである。
【０００３】
【発明が解決しようとする課題】
しかしながら、上記した従来の吐水具では、まず、浴槽カウンターに水栓を取り付けた後、さらに埋め込みボルトとナットで浴槽カウンターに固定金具を固定し、ついでこの固定金具に吐水口カバーをボルトで連結して吐水口カバーを浴槽カウンターに固定しており、水栓を浴槽カウンターに位置決めして取り付ける作業に加えて、さらに固定金具を浴槽カウンターに位置決めして取り付ける作業も必要となっていた。
【０００４】
したがって、浴槽カウンター等の取付部に対してステー（固定金具）を位置決めする際には、取付部に特に目印がなければ手作業でボルトの取り付け孔等の位置を定めなくてはならず位置決めが困難であった。また、水栓の固定作業の他にステーをボルトで固定する作業も必要であるため、施工作業が煩雑となっていた。
【０００５】
本各発明は上記した従来の吐水具の問題点を解消するものであり、吐水具の取り付け作業を簡略化し、取り付け作業の時間短縮及び作業コストを低減することを目的とする。
【０００６】
【課題を解決するための手段】
以上の課題を解決するために、本各発明の採った手段を各発明ごとに以下に説明すると、まず、本発明の請求項１に記載の吐水具は、「浴室の壁面等の取付部から突設されて湯水などを吐水する通水体と、該通水体を被覆するカバーと、該カバーを前記取付部に固定するステーとを備えた吐水具であって、前記通水体及び前記ステーが、前記通水体に設けられた鍔部と前記通水体の端部に形成されたネジにねじ込まれたナットによって、共に前記取付部に固設されるとともに前記取付部及び前記ステーが挟着されることを特徴とする吐水具」である。
【０００７】
ここで「通水体」とは、弁装置を内蔵しない単なる通水用の部材に限らず、吐水方向をシャワー・カランに切り換える切換弁や、湯水の混合度合いを調節する混合弁等の弁装置を内蔵するものであってもよく、給水栓本体そのものも含む。また、「取付部」は、浴室の壁面、浴室の洗い場のカウンター前面、洗面台や流し台の壁面やデッキ面など、吐水具を取り付ける部位をいう。さらに、「固設手段」としては、取付部を挟持するナットを用いたもの、取付部に螺着されるネジを用いたもの、取付部に係止固定される係止具を用いたもの等、種々の手段を例示できる。
【０００８】
上記のように構成することにより、通水体及びステーを、各々個別の固設手段により取付部に固設する必要がなくなり、通水体及びステーの取付部への固設作業を簡略することができる。
【０００９】
また、堅固に取付部に固定する必要のある通水体及びステーの固設作業時には、個々の部品を傷つけてしまう虞が多い。しかしながら、本発明においては、通水体が別体のカバーにて被覆されるものであるため、上記固設作業時には、カバーを取り外しておくこともできる。このようにすれば、外観を構成するカバーの傷付きを防止できる。
【００１０】
さらに、別体のカバーにて通水体を被覆することとしたので、カバーの材質を樹脂等とすることも可能である。このため、全体を鋳物等により形成した従来の吐水具に比べて軽量化することができ、取り扱いの簡便化を図ることもできる。しかも、形状変更も容易であることから、外観の異なる吐水具を簡易に製造できるほか、通水体などの部品を共用しつつカバーを取り換えることで、種々の外観の吐水具を容易に実現できる。また、樹脂製とすることにより、切削加工や研磨加工などの工程も省略することができる。
【００１１】
本発明の請求項２に記載の吐水具は、「水栓本体とは別個に設けられることを特徴とする請求項１に記載の吐水具」である。
【００１２】
吐水具が、例えば、給水栓としての弁装置を内蔵しない単なる通水用の部材であり、浴室の壁面等に水栓本体とは個別に設けられるものである場合には、給水栓全体の施工作業として、水栓本体の固設作業と、吐水具の固設作業とが必要とされ、その作業は煩雑である。特に、吐水具が水栓本体とは離れた部位に設けられる場合には、個々の作業を離れた部位で行わなければならず、その作業はより煩雑である。本発明によれば、吐水具の固設作業を簡略化することができ、上述した煩雑な給水栓の施工作業全体の簡略化に貢献できる。
【００１３】
本発明の請求項３に記載の吐水具は、「前記通水体及び前記ステーの相互を回動不能に位置決めする位置決め手段を備えたことを特徴とする請求項１又は２に記載の吐水具」である。
【００１４】
「位置決め手段」としては、通水体に外周面にスリットを設けて該スリットにステーを装着するもの、通水体の外周面の一部に平面部を設けて該平面部にステーを当接させるもの、通水体及びスリットに互いに係合する係合部を設けたもの等、種々の手段を例示できる。このような位置決め手段を備えることにより、通水体及びステーを取付面に固設するに際して、取付部に対して一方を位置決めすれば、必然的に他方も位置決めすることができ、固設作業のさらなる簡便化を図ることができる。
【００１５】
本発明の請求項４に記載の吐水具は、「前記通水体には、下方に突出する吐水口が設けられており、前記カバーの下面には、前記吐水口を挿通可能なスリットが設けられていることを特徴とする請求項１から３の何れかに記載の吐水具。」である。
【００１６】
通水体が下方に突出する吐水口を有する場合には、通水体にカバーを装着するに際して、吐水口がカバーに干渉して装着作業が困難となる場合がある。本発明によれば、スリットに吐水口を挿通しつつ、通水体の前方からカバーを装着することができ、通水体へのカバーの装着作業を簡略化できる。尚、スリットはカバーの下面に設けられているため、使用者の目に付き難く、美観を損なうことはない。
【００１７】
本発明の請求項５に記載の吐水具は、「前記カバーは、その下面から前記ステーにネジ止めされることを特徴とする請求項１から４の何れかに記載の吐水具」である。使用者からは見えにくい個所においてネジ止めするので、ネジなどの固定用の部材が使用者の目に付き難く、美観を損なうことはない。
【００１８】
【発明の実施の形態】
次に、本各発明に係る吐水具の実施の形態を図面を参考にして詳細に説明する。図１ないし図３に、請求項１ないし請求項５の各発明を適用した吐水具を示す。
【００１９】
図１に示すように、吐水具６は、水栓本体（図示省略）に配管等を介して接続されたアダプター１０と、アダプター１０に接続されてその先端から湯水を吐出する吐水管２０と、カバー４０を取り付けるためのステー３０とを備えている。ここで、アダプター１０及び吐水管２０は、請求項１にいう「通水体」を構成するものである。
【００２０】
アダプター１０は、浴室の壁面や、浴室の洗い場のカウンター前面等の取付部１を形成するパネル材等の部材の表裏を貫通するようにして、取付部１に固設されている。そして、アダプター１０の端部にはネジ部１６が形成されており、ネジ部１６の端部には鍔部１４が周設されている。鍔部１４は、取付部１の取り付け孔５よりも大径に形成されており、取付部１裏側から取り付け孔５にアダプター１０を差し込んだ状態では、鍔部１４が取り付け孔５周縁に当接して、アダプター１０が所定の部位に位置決めされる。また、鍔部１４と取り付け孔５周縁との間にはシール部材３が介在され、これによりアダプター１０と取付部１との水密性が確保されている。さらに、アダプター１０に装着された後述するステー３０と取り付け孔５周縁との間にもシール部材３が介在されており、これによりステー３０と取付部１との水密性が確保されている。
【００２１】
図２に示すように、アダプター１０のネジ部１６の外周面には、ネジ部１６の軸心を挟んで対向して形成された一対のスリット１８が形成されている。また、対向するスリット１８の底部１７は互いに平行な面として形成されている。ここで、スリット１８の奥端壁１５から鍔部１４までの長さは、取付部１の厚みよりも僅かに小さくされている。これにより、後述するように、ナット１９とアダプター１０の鍔部１４とにより、取付部１と共にステー３０が挟持される際には、ステー３０がスリット１８の奥端壁１５に当接することなく、堅固に確実に挟持される。
【００２２】
ステー３０は、全体が略Ｕ字状に形成されており、基体部３３はカバー４０の開口部４８とほぼ同形状に形成されて、カバー４０が外嵌されるように構成されている。また、基体部３３の中央に下方に開口する切り欠き３１が形成されている。切り欠き３１の両側は互いに平行に形成されており、また、切り欠き３１の幅はアダプター１０のスリット１８間と略同一の長さに形成されている。このように構成することにより、ステー３０をアダプター１０のスリット１８に装着すると、ステー３０がアダプター１０に対して回動不能に位置決めされる。本例では、スリット１８及び切り欠き３１が請求項３でいう「位置決め手段」を構成する。
【００２３】
また、ステー３０の基体部３３の開口端には、ねじ止め部３２が連設されている。このねじ止め部３２は、基体部３３の開口端からほぼ直角に立ち上がって形成され、その中央には、カバー４０の取り付けのためのネジ２が螺着されるネジ止め孔４４が形成されている。また、ステー３０の基体部３３の開口端と反対側の端部両側には、差込部３８が備えられている。この差込部３８は、カバー４０の差込溝４６にはめ込まれてカバー４０を係止するよう、基端部３３からほぼ直角に立ち上がり次いでさらに基体部３３とほぼ同一方向に直角に折曲された差込片３９が連設されている。さらに、ステー３０の基体部３３の両側には、カバー４０の内壁面に当接して、カバー４０の固定を確実ならしめる補強片３６がそれぞれ立設されている。
【００２４】
ついで吐水管２０について説明する。図１に示すように、吐水管２０は、その先端から下方に突出する吐水口２１を有している。また、基端側の外周面には、係合凹部２２が周設されている。この係合凹部２２は、袋ナット２４にて吐水管２０をアダプター１０に固定する際に、袋ナット２４内の係合リング２６を係合して、吐水管２０の抜脱を防止するものである。尚、吐水管２０外周面とネジ部１６内周面との間にはシール部材３が介在されており、これによ吐水管２０とアダプター１０との水密性が確保されている。
【００２５】
ついでカバー４０について説明する。図３に示すように、カバー４０は樹脂製で、平面視舌片状に形成されており、その下面には背面の開口部４８から先端寄りに開口されたスリット４２が形成されている。スリット４２は、上記した吐水口２１を挿通可能な形状に形成されており、その先端付近から、吐水口２１を露呈している。また、開口部４８付近の上面両側寄り内壁面には、ステー３０の差込片３９がはめ込み可能な差込溝４６が形成されており、一方、開口部４８付近の下面両側寄りには、ネジ止め孔４４が穿設されている。このカバー４０は、ステー３０の差込片３９が差込溝４６にはめ込まれると共に、ネジ２がステー３０のネジ孔３４及びネジ止め孔４４にねじ込まれ、さらに、ステー３０の補強片３６が内壁面に当接して両側面が保持されて、ステー３０に取着される。
【００２６】
次に、本例の吐水具の取付部１への固定手順を説明する。図２に示すように、まず、取付部１の裏面からアダプター１０を取り付け孔５に挿入する。ついで、アダプター１０のスリット１８にステー３０の切り欠き３１を挿通させてステー３０をアダプター１０のネジ部１６に装着する。この時、ステー３０は、スリット１８の底部１７に案内され、アダプター１０に円滑に装着されると共に、スリット１８の底部１７とステー３０の切り欠き３１の内面とが当接して、アダプター１０に対して回動不能に位置決めされる。ついで、ナット１９をネジ部１６にねじ込み、このナット１９とアダプター１０の鍔部１４とで、取付部１及びステー３０を挟着する。これにより、取付部１に対するアダプター１０及びステー３０の固設が完了する。本例では、ナット１９及びアダプター１０の鍔部１４が、本各発明でいう「固設手段」を構成する。
【００２７】
このように、取付部１に対するアダプター１０及びステー３０の固設が完了した後に、吐水管２０をアダプター１０のネジ部１６内に挿入すると共に、袋ナット２４をネジ部１６にねじ込み、吐水管２０をアダプター１０に固定する。そして、最後に、図３に示すように、カバー４０の差込溝４６にステー３０の差込片３９をはめ込みつつ、吐水管２０をカバー４０内に収納するようにカバー４０をステー３０に取着し、ネジ２をカバー４０の下面からねじ止め孔４４及びネジ孔３４にねじ込んで、カバー４０をステー３０に固定すれば、取付部１への吐水具の固定が完了する。
【００２８】
なお、アダプター１０への吐水管２０の装着順序は、上述の例に限らず、ナット１９の締め付けを完了する前であってもよい。また、アダプター１０に吐水管２０を装着した状態で、吐水管２０が取付部１の取り付け孔５に挿入可能であり、且つ、アダプター１０にナット１９を装着可能であれば、アダプター１０に吐水管２０を装着した状態で、取付部１に対するアダプター１０及びステー３０の固設作業を行ってもよい。
【００２９】
【発明の効果】
本発明は上記のように構成されているので以下の効果を有する。請求項１又は２に記載の吐水具では、通水体とステーとを共通の固設手段にて取付部に固設するため、吐水具の取り付け作業を簡略化し、取り付け作業の時間短縮及び作業コストを低減することができる。請求項３に記載の吐水具では、通水体とステーとが相互に回動不能に位置決めされるため、施工作業をさらに簡略化できる。請求項４に記載の吐水具では、吐水口が干渉することなく通水体にカバーを装着できるため、カバーの取付作業を簡略化できる。請求項５に記載の吐水具では、カバーの取り付けのためのネジを下面側に位置させるため、吐水具の美観を確保できる。
【図面の簡単な説明】
【図１】吐水具を示す一部断面図である。
【図２】通水体及びステーの分解斜視図である。
【図３】カバーの取付方法を示す吐水具の分解斜視図である。
【符号の説明】
１；取付部、２；ネジ、３；シール部材、５；取り付け孔、６；吐水具、９；通水体、１０；アダプター、１２；アダプター本体部、１４；鍔部、１５；奥端壁、１６；ネジ部、１７；底部、１８；スリット、１９；ナット、２０；吐水管、２１；吐水口、２２；係合凹部、２４；袋ナット、２６；係合リング、３０；ステー、３１；切り欠き、３２；ネジ止め部、３３；基体部、３４；ネジ孔、３６；補強片、３８；差込部、３９；差込片、４０；カバー、４２；スリット、４４；ネジ止め孔、４６；差込溝、４８；開口部
【図１】
0003644027.tif 000002
【図２】
0003644027.tif 000003
【図３】
0003644027.tif 000004